(57)【要約】【課題】  羽根内蔵型吸引式シーリングファンの提供。【解決手段】  天井に固定され、動力源（１０）を具え、該動力源（１０）のケース上部が天井（ａ）に固定され、中心の回転軸（１１）に複数の羽根（１３）が接続された吸引式シーリングファンにおいて、動力源（１０）の底部に遮蔽板（１４）が設けられ、並びに各羽根（１３）の底部にシールド板（１５）が設けられて各羽根（１３）が遮蔽され、該シールド板（１５）の中心に貫通孔（１５１）が設けられたことを特徴とする。【選択図】        図４
2006194199.tif 000002
【特許請求の範囲】
【請求項１】
天井に固定され、動力源（１０）を具え、該動力源（１０）のケース上部が天井（ａ）に固定され、中心の回転軸（１１）に複数の羽根（１３）が接続された吸引式シーリングファンにおいて、動力源（１０）の底部に遮蔽板（１４）が設けられ、並びに各羽根（１３）の底部にシールド板（１５）が設けられて各羽根（１３）が遮蔽され、該シールド板（１５）の中心に貫通孔（１５１）が設けられたことを特徴とする、羽根内蔵型吸引式シーリングファン。
【請求項２】
請求項１記載の羽根内蔵型吸引式シーリングファンにおいて、シールド板（１５）の上部に複数のネジ柱（１５２）が設けられ、各ネジ柱（１５２）が固定ロッド（１５３）の底部の貫通孔（１５４）に挿入されてナット（１５５）により固定され、固定ロッド（１５３）の上部が天井（ａ）に螺子止めされることを特徴とする、羽根内蔵型吸引式シーリングファン。
【請求項３】
請求項１記載の羽根内蔵型吸引式シーリングファンにおいて、羽根（１３）が回転アーム（１２）で動力源（１０）に接続され、該遮蔽板（１４）は各回転アーム（１２）の適正寸法を遮蔽することを特徴とする、羽根内蔵型吸引式シーリングファン。
【請求項４】
請求項１記載の羽根内蔵型吸引式シーリングファンにおいて、シールド板（１５）の径長が各羽根（１３）が構成する径長より大きく、その中心の貫通孔（１５１）がシールド板（１５）の直径より小さいことを特徴とする、羽根内蔵型吸引式シーリングファン。
【請求項５】
請求項１記載の羽根内蔵型吸引式シーリングファンにおいて、羽根（１３）が平面板片或いは螺旋曲面板片のいずれかとされたことを特徴とする、羽根内蔵型吸引式シーリングファン。
【請求項６】
請求項１記載の羽根内蔵型吸引式シーリングファンにおいて、動力源（１０）がモータとされたことを特徴とする、羽根内蔵型吸引式シーリングファン。
【発明の詳細な説明】
【技術分野】
【０００１】
本発明は天井に取り付けられる一種の羽根内蔵型吸引式シーリングファンに係り、特に、照明を付加でき且つ回転する羽根が内蔵され、十分に室内空気を攪乱して均一な温度を達成することができる吸引式シーリングファンの構造に関する。
【背景技術】
【０００２】
図１、２は市販されているシーリングファンの構造を示し、使用者はこのタイプのシーリングファンを天井に取り付けることで、床上の場所を取らずに、大面積で室内空気を回転させて気流を発生させ、室内の比較的広角の涼風効果を得ることができる。ただしこのような周知のシーリングファンは多くの欠点を有している。例えば、
１．光源に対する干渉：シーリングファンの広く且つ大きな羽根１が急速回転する時、天井に取り付けられた照明装置２は下方の不断のちらつきを形成する。比較的新しい設計には照明装置２がファンの下に設置されたものもあるが、一部の光線は急速回転する羽根面及び天井に投射され、それが反射される時、軽減されはするが、依然としてちらつきの問題を発生し、使用者が長期にこのような環境にいると、眼の健康に影響を与え、且つ精神消耗といらつきをもたらす。
２．安全でない：保護柵がなく急速に回転する羽根面が人に不安全感を与え、且つ構造に保留された入気空間のため上方の支点が小さくなるが、下方の大きく重い主体を支持しなければならず、このためある時間使用するとシーリングファンがぐらつく情況がよく見られ、使用者に強度の不安を与える。
３．空間学に違反する：シーリングファンは構造原理上、大面積の入気空間を保留しなければならず、このため空中に吊り下げられて羽根１が地面に接近し、即ち人体頭部に十分に接近し、使用者に圧迫感を与え、特に、現代の建築物は空間を節約するため、往々にして室内の床と天井との距離が大きくなく、このような装置は空間、美学の原理に違反し、特に新しい設計では上述の照明装置２のちらつきを軽減するために照明装置２が羽根の下に取り付けられ、有限な空間を更に狭くする。
４．風量が不均一である：伝統的な電動ファンとシーリングファンはいずれもその固定された風向を有し、特にシーリングファンはそうであり、羽根内の風量は不均一で羽根１の前方の風量が強過ぎ、その他の角度には風がなく、且つシーリングファンは直接地面に向けて風を吹き付けるため細かい灰塵を吹き上げて呼吸器官の不快感を形成し、特にクーラーと合わせて使用される時、このような不快感は更に強烈となる。
【０００３】
上述の欠点により、小さい部屋例えば寝室、書斎及び中小の売り場には取り付け使用できない。
【０００４】
このため、市場での競争力を有し、且つ構造原理が伝統的な電動ファン及びシーリングファンのいずれとも異なるシーリングファンが求められている。
【発明の開示】
【発明が解決しようとする課題】
【０００５】
本発明の主要な目的は、安全な羽根内蔵型吸引式シーリングファンを提供することにあり、それは天井の下方に固定され、各羽根が内蔵され、使用者が目で羽根の回転を見ることができず、不安感を形成せず、且つ美観を具えたものとする。
【０００６】
本発明の次の目的は、一種の羽根内蔵型吸引式シーリングファンを提供することにあり、それは、厚さが一般のシーリングファンの１／３〜１／４とされ、これにより地面からの高さが一般のファンより大きく、これにより人体頭部との距離が大きく、圧迫感を発生しないものとする。
【０００７】
本発明の別の目的は、一種の羽根内蔵型吸引式シーリングファンを提供することにあり、それは、自然風の方式に類似し、十分に室内の各部の空気を攪乱し、クーラーをかけた室内で死角のない温度均一化の効果を有し、開放空間でも送風機に類似の排風効果を達成し、迅速に室内熱気を排出するものとする。
【課題を解決するための手段】
【０００８】
請求項１の発明は、天井に固定され、動力源（１０）を具え、該動力源（１０）のケース上部が天井（ａ）に固定され、中心の回転軸（１１）に複数の羽根（１３）が接続された吸引式シーリングファンにおいて、動力源（１０）の底部に遮蔽板（１４）が設けられ、並びに各羽根（１３）の底部にシールド板（１５）が設けられて各羽根（１３）が遮蔽され、該シールド板（１５）の中心に貫通孔（１５１）が設けられたことを特徴とする、羽根内蔵型吸引式シーリングファンとしている。
請求項２の発明は、請求項１記載の羽根内蔵型吸引式シーリングファンにおいて、シールド板（１５）の上部に複数のネジ柱（１５２）が設けられ、各ネジ柱（１５２）が固定ロッド（１５３）の底部の貫通孔（１５４）に挿入されてナット（１５５）により固定され、固定ロッド（１５３）の上部が天井（ａ）に螺子止めされることを特徴とする、羽根内蔵型吸引式シーリングファンとしている。
請求項３の発明は、請求項１記載の羽根内蔵型吸引式シーリングファンにおいて、羽根（１３）が回転アーム（１２）で動力源（１０）に接続され、該遮蔽板（１４）は各回転アーム（１２）の適正寸法を遮蔽することを特徴とする、羽根内蔵型吸引式シーリングファンとしている。
請求項４の発明は、請求項１記載の羽根内蔵型吸引式シーリングファンにおいて、シールド板（１５）の径長が各羽根（１３）が構成する径長より大きく、その中心の貫通孔（１５１）がシールド板（１５）の直径より小さいことを特徴とする、羽根内蔵型吸引式シーリングファンとしている。
請求項５の発明は、請求項１記載の羽根内蔵型吸引式シーリングファンにおいて、羽根（１３）が平面板片或いは螺旋曲面板片のいずれかとされたことを特徴とする、羽根内蔵型吸引式シーリングファンとしている。
請求項６の発明は、請求項１記載の羽根内蔵型吸引式シーリングファンにおいて、動力源（１０）がモータとされたことを特徴とする、羽根内蔵型吸引式シーリングファンとしている。
【発明の効果】
【０００９】
本発明の羽根内蔵型吸引式シーリングファンは天井の下方に固定され、各羽根が内蔵され、使用者が目で羽根の回転を見ることができず、不安感を形成せず、且つ美観を具えている。
【００１０】
本発明の羽根内蔵型吸引式シーリングファンは厚さが一般のシーリングファンの１／３〜１／４とされ、これにより地面からの高さが一般のファンより大きく、これにより人体頭部との距離が大きく、圧迫感を発生しない。
【００１１】
本発明の羽根内蔵型吸引式シーリングファンは自然風の方式に類似し、十分に室内の各部の空気を攪乱し、クーラーをかけた室内で死角のない温度均一化の効果を有し、開放空間でも送風機に類似の排風効果を達成し、迅速に室内熱気を排出する。
【発明を実施するための最良の形態】
【００１２】
図３、４に示されるように、本発明の羽根内蔵型吸引式シーリングファンは、動力源（１０）例えばモータを具え、該動力源（１０）の上面は天井（ａ）に固定され、該動力源（１０）の中心に回転軸（１１）が設けられ、該回転軸（１１）の外側に複数の回転アーム（１２）が接続され、各回転アーム（１２）の外端に羽根（１３）が設けられている。該羽根（１３）は平面板片（或いは螺旋曲面の板片）とされ、各羽根（１３）の底部は動力源（１０）の底面より低い。遮蔽板（１４）が動力源（１０）の底面に位置し、動力源（１０）及び各回転アーム（１２）を遮蔽し、薄いシールド板（１５）が各羽根（１３）の下方に位置し、該シールド板（１５）の中間に貫通孔（１５１）が設けられ、該貫通孔（１５１）の直径は該遮蔽板（１４）の外径より小さく、また該シールド板（１５）の外径は各羽根（１３）が構成する円周の直径より大きい。該シールド板（１５）の上面に複数のネジ柱（１５２）が設けられ、該ネジ柱（１５２）はＺ形の固定ロッド（１５３）底部の貫通孔（１５４）を通り、並びにナット（１５５）で固定され、該固定ロッド（１５３）の上部は天井（ａ）に螺子止めされ、これは図６に示されるとおりである。また、下から上を仰ぎ観た時、平坦で整った視覚効果を有し、これは図５に示されるとおりである。
【００１３】
図７及び図２に示されるように、上述の構造により、本発明の羽根内蔵型吸引式シーリングファンは天井（ａ）に固定され、その厚さは伝統的なシーリングファンの１／３〜１／４に過ぎず、その底部と地面の距離が明らかに大きく、人体頭部との距離もまた遠くなっており、圧迫感を防止することができる。羽根（１３）の回転時に下から上に見てもその回転動態を見ることはできず、ゆえに不安感を与えない。特に、本発明は羽根（１３）の回転時に、風の流向が二つあり、その一つは複数の羽根（１３）の中間より上昇し、更に各羽根（１３）に沿って外向きに流れて均一に下向きに案内され、これは図６の矢印に示されるとおりである。もう一つは風が接線方向でファン本体より離れ、これにより全体の部屋の気流を不断に回転させ、洗濯機内の水流と同様に、図８、９のように不断に循環させ、これにより人が部屋の角部に経っていても、自然風のような風を受けることができ、羽根（１３）の下方のある角度範囲のみに風力を有するのではない。こうして伝統的なシーリングファンの、ファン下方の風力が大きく、ファンから離れた角部に風が送られないという欠点が改善されている。
【００１４】
本発明をクーラーと組み合わせて使用する時、即ち冷房された室内で使用する時、下方の冷たい空気は上に引き込まれ、羽根（１３）の攪乱の後に外向き且つ下向きに送られ、且つ冷気の吹き出し方向に合わせて、本発明の羽根（１３）は二方向に回転可能であり、不断に各角部に風を送り温度均一化の効果を達成でき、ファン下方が冷た過ぎ、部屋の角部が涼しくないという現象の発生を防止できる。
【００１５】
このほか、図１０は、本発明が開放された空間に取り付けられた状態を示す。羽根（１３）が回転する時、送風機と同様に、ドア或いは窓の外の冷たい風が取り込まれ、室内の比較的高温の空気が攪乱されて排出され、一方で迅速な排熱が行なわれ、また一方で冷たい風が導入された後に羽根（１３）の回転により発生する風により、排熱、降温の効果が達成される。
【００１６】
図１１、１２は本発明の第２実施例を示し、それはほぼ前述の第１実施例と同じであるが、異なるところは、Ｚ形の固定ロッド（１５３）の上部が遮蔽板（１４）の周囲に接続され、固定ロッド（１５３）の下端の貫通孔（１５４）がシールド板（１５）の上面の貫通孔（１５１）周囲のネジ柱（１５２）に嵌合され、ナット（１５５）で固定され、これによりシールド板（１５）と遮蔽板（１４）が一体に螺子止めされているところである。
【００１７】
本発明のシールド板（１５）の下方には複数の発光体（２０）例えばバルブを取り付け可能で、これは図１３に示されるとおりであり、発光体（２０）の位置はシールド板（１５）の外側下方とされ、羽根（１３）の回転時に発光体（２０）の光線が干渉を受けることがなく、これにより使用者は光線の明暗のちらつきの現象を感じることがなく、並びに本発明は発光体（２０）の光線が天井（ａ）に投射されて更に下向きに屈折されることで、良好な明るさを有し、更に本発明の厚さは薄く且つ下から上に仰ぎ見ても羽根（１３）の回転が分からず、体積が小さく且つ美観が増され、さらに室内のインテリアに調和し、現代空間の美学要求を達成する。更に上述の長所により本発明は小さい部屋例えば寝室や書斎等に使用可能である。
【図面の簡単な説明】
【００１８】
【図１】周知のシーリングファンの表示図である。
【図２】周知のシーリングファンの側面図である。
【図３】本発明の実施例の立体分解図である。
【図４】本発明の組合せ立体図である。
【図５】本発明の底面図である。
【図６】本発明が天井に取り付けられた時の風向表示図（一）である。
【図７】本発明の実施例の側面図である。
【図８】本発明の羽根の底面図に風向き表示を組み合わせた図である。
【図９】本発明が天井に取り付けられた時の風向表示図（二）である。
【図１０】本発明が天井に取り付けられた時の風向表示図（三）である。
【図１１】本発明の第２実施例の立体分解図である。
【図１２】本発明の第２実施例を天井に取り付けた時の断面図である。
【図１３】本発明に発光体を組み付けた立体図である。
【符号の説明】
【００１９】
（１０）動力源
（ａ）天井
（１１）回転軸
（１２）回転アーム
（１３）羽根
（１４）遮蔽板
（１５）シールド板
（１５１）貫通孔
（１５２）ネジ柱
（１５３）固定ロッド
（１５４）貫通孔
（１５５）ナット
（２０）発光体
【図１】
2006194199.tif 000003
【図２】
2006194199.tif 000004
【図３】
2006194199.tif 000005
【図４】
2006194199.tif 000006
【図５】
2006194199.tif 000007
【図６】
2006194199.tif 000008
【図７】
2006194199.tif 000009
【図８】
2006194199.tif 000010
【図９】
2006194199.tif 000011
【図１０】
2006194199.tif 000012
【図１１】
2006194199.tif 000013
【図１２】
2006194199.tif 000014
【図１３】
2006194199.tif 000015